(57)【要約】【課題】動画像の記録時に静止画像の記録ができると共に、１つの撮像素子で得た信号から動画像と静止画像を同時に生成する必要が無く、コストアップを抑え、簡単な回路構成と信号処理で動画像と静止画像を記録することが可能なビデオカメラ装置を提供する。【解決手段】静止画像の取得タイミングを入力する静止画取得トリガ手段（２５）と、静止画取得トリガ手段が操作されたときのタイムスタンプ情報と、圧縮画像信号が記録された記録位置情報とから生成された静止画像アドレス情報を記憶する静止画アドレス記憶手段（２０）と、動画像の記録終了後、記憶された静止画アドレス情報に基づき、対応するタイムスタンプを有する圧縮画像信号を再生し、再生された前記圧縮画像信号から静止画像信号を生成する画像処理手段（５）と、生成された静止画像信号を前記記録媒体に記録する制御手段（２１）とを具備したビデオカメラ装置装置とする。【選択図】図１
2008005280.tif 000002
【特許請求の範囲】
【請求項１】
撮像した動画像をタイムスタンプ情報を有する圧縮画像信号に変換して記録媒体に記録すると共に、動画像の記録中に撮像者の操作により動画像の一部を静止画像として記録するビデオカメラ装置において、
静止画像の取得タイミングを入力する静止画取得トリガ手段と、
動画像を記録中に前記静止画取得トリガ手段が操作されたときの前記タイムスタンプ情報と、前記圧縮画像信号が記録された前記記録媒体の記録位置情報とから生成された静止画像アドレス情報を記憶する静止画アドレス記憶手段と、
前記動画像の記録の終了後、記憶された前記静止画アドレス情報に基づき、前記記録媒体から前記対応するタイムスタンプを有する圧縮画像信号を再生し、再生された前記圧縮画像信号から静止画像信号を生成する画像処理手段と、
生成された前記静止画像信号を前記記録媒体に記録する制御手段と、
を具備したことを特徴とするビデオカメラ装置。
【発明の詳細な説明】
【技術分野】
【０００１】
本発明は、ビデオカメラ装置に係り、特に動画の撮影中に静止画像の撮影が可能なビデオカメラに関する。
【背景技術】
【０００２】
従来から、動画として記録された画像中の１シーンを別途静止画像として取り出したいという撮影者の要望があり、そのためのビデオカメラ装置の工夫が種々行われている。
【０００３】
一例として、下記特許文献１には、ビデオカメラ装置で動画を記録し、記録された動画の再生時に所望のシーンを選択し、静止画像としてビデオプリンタで印刷する技術が開示されている。
【０００４】
又、他の例として、下記特許文献２には、ビデオカメラ装置で動画を記録中に、別途静止画像としても記録したいシーンが生じたとき、静止画像記録用のシャッターボタンを押すと動画の記録を継続したまま同時に静止画像を記録できるビデオカメラ装置の技術が開示されている。
【特許文献１】特開平６−３１１４６６号公報
【特許文献２】特開２００４−９６７８４号公報
【発明の開示】
【発明が解決しようとする課題】
【０００５】
しかしながら、特許文献１の場合、静止画像を得るためには、動画の記録が終わった後で一旦再生し、モニター画面を見て所望のシーンを探し出さなければならないという操作上の欠点がある。この場合、特に撮影してから時間が経過していると、撮影したシーンの記憶が薄れるので、動画を何度も繰り返し再生して静止画像にするシーンを確認しなければならないので手間と時間が掛かる問題がある。
【０００６】
特許文献２の場合は、動画の記録と同時に静止画像の記録ができるので上記の欠点は生じない。また、静止画像を撮るタイミングは、実際の被写体を見ている時であるから、その場の雰囲気でいわゆるシャッターチャンスが生かされ、静止画像としてタイミングの優れた画像を得ることが可能である。
【０００７】
しかしながら、特許文献２の場合、動画像と静止画像の２種類の画像信号を同時に記録する必要があることから以下の問題点を有する。
１．動画像信号、静止画像信号を記録する２種類の記録媒体が必要になるので、構成が複雑であり、且つコストアップとなる。
２． 更に、画像信号の記録に必要なバッファメモリが動画像用と静止画像用の２種類必要となるので、やはりコストアップにつながる。
３．１つの撮像素子で得た信号から動画像信号と静止画像信号を生成するので、信号処理が複雑で制御が難しくなる。
【０００８】
上記したように、従来の動画と静止画像を同時に得られる機能を持ったビデオカメラ装置は幾つかの問題点を有しており、利用者やメーカーにとって必ずしも満足の行くものではなかった。
本発明は、このような従来の問題点に鑑みなされたものであり、動画の記録時に撮影者が指定したタイミングの静止画像の記録ができると共に、１つの撮像素子で得た信号から動画像と静止画像を同時に生成することなく、したがって、２種類の記録媒体やバッファメモリを用いないのでコストアップすることなく、簡単な回路構成と信号処理で動画と静止画像を記録することが可能なビデオカメラ装置を提供することを目的とする。
【課題を解決するための手段】
【０００９】
本発明は、上記課題を解決する手段として以下に記載の構成からなる。すなわち、
撮像した動画像をタイムスタンプ情報を有する圧縮画像信号に変換して記録媒体に記録すると共に、動画像の記録中に撮像者の操作により動画像の一部を静止画像として記録するビデオカメラ装置において、
静止画像の取得タイミングを入力する静止画取得トリガ手段と、
動画像を記録中に前記静止画取得トリガ手段が操作されたときの前記タイムスタンプ情報と、前記圧縮画像信号が記録された前記記録媒体の記録位置情報とから生成された静止画像アドレス情報を記憶する静止画アドレス記憶手段と、
前記動画像の記録の終了後、記憶された前記静止画アドレス情報に基づき、前記記録媒体から前記対応するタイムスタンプを有する圧縮画像信号を再生し、再生された前記圧縮画像信号から静止画像信号を生成する画像処理手段と、
生成された前記静止画像信号を前記記録媒体に記録する制御手段と、
を具備したことを特徴とするビデオカメラ装置を提供する。
【発明の効果】
【００１０】
本発明によれば、動画の記録中に撮影者が指定したタイミングの静止画像の記録ができると共に、信号処理では、１つの撮像素子で得た信号から動画像と静止画像を同時に生成する必要が無く、更に２種類の記録媒体やバッファメモリを用いる必要もない。
この結果、簡単な回路構成と制御処理で済むので動画と静止画像を同時に記録することが可能なビデオカメラ装置を安価に提供できる。
【発明を実施するための最良の形態】
【００１１】
以下、本発明の実施形態に係るビデオカメラ装置について、図面を参照して説明する。
図１は本発明に係るビデオカメラ装置の一実施例を示すブロック図である。まず、本発明の実施形態に係るビデオカメラ装置の構成を説明する。
同図において、本ビデオカメラ装置は被写体（図示せず）を撮像するために、複数のレンズ１、絞り２、ＣＣＤ撮像素子３、及びそれらを駆動する回路として、レンズ制御部１７、絞り制御部１８、ＣＣＤ駆動部１９を有している。
ＣＣＤ撮像素子３で得られた被写体の画像信号は、Ａ／Ｄ変換部４でデジタル画像信号に変換される。デジタル画像信号は、次いで画像処理ＤＳＰ（Digital Signal Processor）５に供給され、ここで後述の各種の信号処理が行われる。
【００１２】
画像処理ＤＳＰ５の内部は、Ａ／Ｄ変換部４から供給されたデジタル画像信号を整形しコンポーネント画像信号に生成する信号処理部６、ＭＰＥＧ２（Moving Picture Experts Group 2）信号のエンコード及びデコードを行うＭＰＥＧ２コーデック７、ＪＰＥＧ（Joint Photographic Experts Group）信号のエンコード及びデコードを行うＪＰＥＧコーデック８、フォーカス状態を検出するＡＦ回路９、露光量を検出するＡＥ回路１０、撮像時の各種撮像条件をまとめたＥｘｉｆ（エグジフ：Exchangeable image file format）情報を生成するＥｘｉｆ情報生成部１１、ＭＰＥＧ２信号のタイムスタンプを生成するタイムスタンプ生成部１２で構成されている。
又、画像処理ＤＳＰ５には、各種画像信号の一時記憶用のワークメモリとしてＳＤＲＡＭ（Synchronous Dynamic Random Access Memory）１３と、デジタル画像信号をアナログ画像信号に変換するためのＤ／Ａ変換部１４、アナログ画像信号を外部に出力するための出力端子１５、アナログ画像信号を表示する画像表示部１６、及び各種の信号処理を制御するシステムコントローラ２１が夫々接続されている。
【００１３】
システムコントローラ２１は、本ビデオカメラ装置の各部の動作を制御する中枢部分であり、上記画像処理ＤＳＰ５の他に、前記レンズ制御部１７、絞り制御部１８、ＣＣＤ駆動部１９、静止画像が記録されている位置情報を記憶しておくための半導体メモリで構成されている静止画アドレス記憶部２０、及び、動画像や静止画像の記録を行うための記録再生信号処理部２２と内部に記録媒体を有する記録再生部２３が接続されている。
更に、システムコントローラ２１には、撮影者が動画記録の開始と停止を入力する動画トリガＳＷ（スイッチ）２４、動画の記録中に静止画像として記録したいときに操作する静止画トリガＳＷ（スイッチ）２５が接続されている。
【００１４】
次に、本実施例におけるビデオカメラ装置の動作について説明する。
まず、動画像の記録と動画像記録中に所望の静止画像を記録する動作を説明する。
外部よりレンズ１に入来した被写体の撮像光は、絞り２を経てＣＣＤ３に供給される。このとき、レンズ１はレンズ制御部１７の駆動によって位置が制御されフォーカス調整が行われる。レンズ制御部１７にはシステムコントローラ２１からの制御信号が供給されている。又、絞り２は絞り制御部１８の駆動によって絞りが変化して撮像光の露光量が制御される。絞り制御部１８には同様にシステムコントローラ２１からの制御信号が供給されている。
システムコントローラ２１には、画像処理ＤＳＰ５内のＡＦ回路９及びＡＥ回路１０において、撮像して得た画像信号からフォーカス状態を示す制御信号と露光量を示す制御信号が生成され、この生成された各制御信号が供給されている。
【００１５】
撮像光が供給されたＣＣＤ３は、画素毎に撮像光の強度に応じて蓄積された電荷が所定の速度で順次転送され、転送された電荷は連続した画像信号として取り出される。次いで、取り出された画像信号はＡ／Ｄ変換器４に入りデジタル画像信号に変換されてから画像処理ＤＳＰ５に入力される。
画像処理ＤＳＰ５に入力された画像信号は、信号処理部６で、画像信号の最適化が行われコンポーネント画像信号として生成される。生成されたコンポーネント画像信号は、一旦ＳＤＲＡＭ１３に出力され一時記憶される。
また、コンポーネント画像信号はＤ／Ａ変換器１４にも出力され、ここでアナログ信号に戻され、出力端子１５から外部に出力されると同時に表示部１６に供給される。表示部１６に表示された画像を見ることで、撮影者は撮像している画像を確認することができる。
【００１６】
動画のコンポーネント画像信号は情報量が多いため、記録媒体に記録する画像信号としては情報量を少なくする目的からＭＰＥＧ２信号に変換して記録する。ここで使用されるＭＰＥＧ２信号は、前記ＳＤＲＡＭ１３に一時記憶したコンポーネント画像信号を読み出しＭＰＥＧ２コーデック７に供給して内部のエンコード機能により作成される。
ＭＰＥＧ２信号に変換された画像信号は、再びＳＤＲＡＭ１３に一時記憶される。この時ＭＰＥＧ２コーデック７は、ＭＰＥＧシステム規格に基づいたタイムスタンプ（時刻）情報をタイムスタンプ生成部１２から取得し、変換したＭＰＥＧ２信号のパケットヘッダ部に多重化する。
【００１７】
ＳＤＲＡＭ１３に一時記憶されたＭＰＥＧ２信号は、記録媒体のファイルシステムに応じた所定の単位で順次読み出され、システムコントローラ２１、記録再生信号処理部２２を介して記録再生部２３に供給される。記録再生部２３は、本実施例では記録媒体にハードディスクを使用したものである。
動画の記録は、撮影者が動画トリガＳＷ２４を操作することにより開始し、再度動画トリガＳＷ２４を操作すると停止するようになっている。
なお、上記ハードディスクは着脱可能な形態であっても良く、又、記録媒体としてはハードディスクに限ることなく追記録可能な光ディスク記録媒体や大容量の半導体メモリであっても良い。
【００１８】
次に動画の記録中に撮影者が静止画トリガＳＷ２５を操作して静止画像を記録する動作を説明する。
動画の記録中に撮影者が静止画トリガＳＷ２５を押すと、システムコントローラ２１は静止画トリガＳＷ２５が押されたタイミングの前記ＭＰＥＧ２信号に多重化したタイムスタンプ情報をタイムスタンプ生成部１２から取得し、この情報と対応するタイミングのＭＰＥＧ２信号が記録された記録再生部２３の記録位置情報から、静止画アドレス情報を生成し、この静止画アドレス情報を静止画アドレス記憶部２０に記憶する。
又、再度動画像記録中に静止画トリガＳＷが押されたら、上記と同様にそのタイミングの静止画アドレス情報を生成して順次静止画アドレス記憶部２０に記憶して行く。
【００１９】
このとき、静止画アドレス情報の記憶と同時に、画像処理ＤＳＰ５内のＥｘｉｆ情報生成部１１から撮像条件を示すＥｘｉｆ情報を取得し、各静止画アドレスに関連付けて記憶しておくようにする。
【００２０】
次に、上記手段で記録された静止画アドレス情報を基に静止画像を記録媒体に記録する動作を説明する。
撮影者の操作により動画像の記録が停止したら、システムコントローラ２１は静止画アドレス記憶部２０に記憶されている静止画アドレス情報を順次読み出す。
まず、システムコントローラ２１は、読み出された静止画アドレス情報に対応するタイムスタンプが含まれるＭＰＥＧ２信号のＧＯＰ（Group Of Picture）の範囲を記録再生部２３から選択再生し、ＳＤＲＡＭ１３に一時記憶する。記憶されたＭＰＥＧ２信号のＧＯＰ範囲は、ＭＰＥＧ２コーデック７に供給され、内部のデコード機能により複数ピクチャーのコンポーネント画像信号に復調される。復調されたコンポーネント画像信号は再びＳＤＲＡＭ１３に一時記憶する。
【００２１】
システムコントローラ２１は、ＳＤＲＡＭ１３に記憶されたコンポーネント画像信号から、静止画アドレス情報に対応するタイムスタンプに一致するピクチャを選択してＪＰＥＧコーデック８に供給する。ＪＰＥＧコーデック８は、供給されたピクチャをＪＰＥＧ信号にエンコードして再度ＳＤＲＡＭ１３に記憶する。なお、この時、静止画アドレスに付随するＥｘｉｆ情報をＪＰＥＧ信号に付加してエンコードする。
ＳＤＲＡＭ１３に記憶されたＪＰＥＧ信号は、システムコントローラ２１の制御により記録再生信号処理部２２を介して記録再生部２３に供給され、記録媒体の所定の静止画記録領域に記録される。静止画アドレス記憶部２０に記憶された静止画アドレス情報が複数ある場合には、順次読み出し同様にＪＰＥＧ信号を生成して記録する。
なお、本実施例では、静止画像の記録を動画像の記録が停止した直後に行っているが、本発明はこれに限ることなく、例えば撮影者の操作により任意の時に行える様にしても良い。
【００２２】
次に、記録された動画像及び静止画像の再生時の動作について説明する。
動画像及び静止画像の再生は図示しない再生ボタンの操作で行われる。使用者の操作によって動画像の再生が開始されると、システムコントローラ２１は、指定された個所のＭＰＥＧ２信号を記録再生部２３から再生して一旦ＳＤＲＡＭ１３に記憶し、次いで、所定単位で読み出してＭＰＥＧ２コーデック７に供給する。
ＭＰＥＧ２コーデック７は供給されたＭＰＥＧ２信号を内部のデコード機能で復調してコンポーネント信号に変換する。変換されたコンポーネント信号は再びＳＤＲＡＭ１３に記憶される。次いで、ＳＤＲＡＭ１３から読み出されたコンポーネント信号はＤ／Ａ変換部１４に供給されアナログ画像信号となって出力端子１５から外部に出力されると同時に表示部１６に供給され画像表示される。
【００２３】
次いで、使用者の操作によって静止画像の再生が開始されると、システムコントローラ２１は、記録再生部２３の静止画記録領域から指定された個所のＪＰＥＧ信号を再生して一旦ＳＤＲＡＭ１３に記憶する。次いでＳＤＲＡＭ１３からＪＰＥＧ信号を読み出しＪＰＥＧコーデック８に供給する。
ＪＰＥＧコーデック８は、供給されたＪＰＥＧ信号を内部のデコード機能で復調して静止画コンポーネント信号に変換する。変換された静止画コンポーネント信号は再びＳＤＲＡＭ１３に記憶される。次いでＳＤＲＡＭ１３から読み出されたコンポーネント信号はＤ／Ａ変換部１４に供給されアナログ静止画像信号に戻り、出力端子１５から外部に出力されると同時に表示部１６に供給され静止画像が表示される。
【００２４】
以上詳述したように、本発明に係るビデオカメラ装置では、動画像の記録中に撮影者が指定したタイミングの静止画像は動画像の記録が終了した後で生成するようにしているので、動画像の記録中には静止画アドレス情報の生成と記憶を行うだけである。
したがって、画像信号処理では、撮像素子で得た信号から動画像と静止画像を同時に生成する必要が無くなり回路の複雑化が避けられる効果がある。又、静止画像の情報はアドレス情報であるから１画像あたりのメモリの使用量は少なくて済むので大量の静止画像を指定することが可能となる。
【００２５】
なお、本実施例においては、記録媒体に記録する動画像をＭＰＥＧ２信号にしているが、本発明はこれに限定するものではなく、例えば、ＭＰＥＧ４信号や他の圧縮画像信号でも良い。又、静止画像信号をＪＰＥＧ信号としているが、他の信号形態であっても良い。
【図面の簡単な説明】
【００２６】
【図１】本発明に係るビデオカメラ装置の一実施例を示すブロック図である。
【符号の説明】
【００２７】
１…レンズ
２…絞り
３…ＣＣＤ撮像素子
４…Ａ／Ｄ変換部
５…画像処理ＤＳＰ（画像処理手段）
６…信号処理部
７…ＭＰＥＧ２コーデック
８…ＪＰＥＧコーデック
９…ＡＦ回路
１０…ＡＥ回路
１１…Ｅｘｉｆ情報生成部
１２…タイムスタンプ生成部
１３…ＳＤＲＡＭ
１４…Ｄ／Ａ変換部
１５…出力端子
１６…表示部
１７…レンズ制御部
１８…絞り制御部
１９…ＣＣＤ駆動部
２０…静止画アドレス記憶部（静止画アドレス記憶手段）
２１…システムコントローラ（制御手段）
２２…記録再生信号処理部
２３…記録再生部
２４…動画トリガＳＷ
２５…静止画トリガＳＷ（静止画取得トリガ手段）
【図１】
2008005280.tif 000003